(57)【要約】【課題】  摺動子の取付に方向性を無くして、取付作業が簡単で、摺動子の間違った取付の生じない回転型電子部品を提供する。【解決手段】  本発明の回転型電気部品は、中心Ｃ２を通る線Ｓ２上の対称位置に配置された一対の第１，第２の接触部７ｃ、７ｄを有する摺動子７の中心Ｃ２が回転体６の回転中心Ｃ１からずれた位置で回転体６に取り付けられて、第１の接触部７ｃが回転中心Ｃ２の円周上に配置された第１の導電体４に摺接すると共に、第２の接触部７ｄが回転中心Ｃ２の円周上に配置された第２の導電体５に摺接するようにしたため、第１の接触部７ｃと第２の接触部７ｄの取付状態が逆方向になっても、それぞれが第１，第２の導電体４，５に摺接するようになり、従って、摺動子７の取付方向に規制（取付方向性）が無くなって、摺動子７の取付作業が簡単で、摺動子７の間違った取付の無いものが得られる。【選択図】        図１
2005339821.tif 000002
【特許請求の範囲】
【請求項１】
回転体を回転可能に取り付けたハウジングと、このハウジングに取り付けられた第１，第２の導電体と、前記回転体に取り付けられ、前記第１，第２の導電体に摺接する金属板からなる摺動子とを備え、前記第１，第２の導電体のそれぞれは、前記回転体の回転中心から異なる半径を有した円周上に配置され、前記摺動子は、その中心を通る線上の対称位置に配置された少なくとも一対の第１，第２の接触部を有すると共に、摺動子は、前記摺動子の前記中心が前記回転中心からずれた位置で、前記回転体に取り付けられ、前記回転体の回転によって、前記第１の接触部が前記第１の導電体に摺接すると共に、前記第２の接触部が前記第２の導電体に摺接するようにしたことを特徴とする回転型電気部品。
【請求項２】
前記摺動子はリング状に形成されると共に、前記第１，第２の接触部が前記リング状の一部に形成されたことを特徴とする請求項１記載の回転型電気部品。
【請求項３】
前記摺動子は、前記第１，第２の接触部の間において、前記回転体に取り付けられる一対の取付部が設けられたことを特徴とする請求項２記載の回転型電気部品。
【請求項４】
前記取付部は、前記摺動子の前記中心を通る線上に配置されたことを特徴とする請求項３記載の回転型電気部品。
【発明の詳細な説明】
【技術分野】
【０００１】
本発明は携帯電話機等の種々の電子機器に使用されるロータリースイッチ、エンコーダ、可変抵抗器等に適用して好適な回転型電気部品に関する。
【背景技術】
【０００２】
従来の回転型電気部品の図面を説明すると、図６は従来の回転型電気部品に係る分解斜視図、図７は従来の回転型電気部品に係る絶縁基体の平面図で、次に、従来の回転型電気部品の構成を図６，図７に基づいて説明すると、箱形をなすハウジング５１は、合成樹脂の成型品からなる絶縁基体５２と、この絶縁基体５２に組み合わされたカバー５３とで形成されている。
【０００３】
この絶縁基体５２は、円形状の凹部５２ａと、この凹部５２ａの中心部に設けられた突部５２ｂを有すると共に、この絶縁基体５２には、第１，第２，第３の接点部材５４，５５，５６が埋設されて取り付けられている。
【０００４】
そして、これ等の第１，第２，第３の接点部材５４，５５，５６の接点部５４ａ、５５ａ、５６ａのそれぞれは、凹部５２ａの中心（回転中心）Ｃ３の周りに、中心Ｃ３から異なる半径の位置に配置されている。
即ち、コモン接点である第１の接点部材５４の接点部５４ａは、中心Ｃ３から一番近い位置にリング状に形成され、また、第２の接点部材５５の接点部５５ａは、中心Ｃ３から２番目に近い位置に、更に、第３の接点部材５６の接点部５６ａは、中心Ｃ３から一番遠い近い位置に配置されている。
【０００５】
合成樹脂の成型品からなる回転体５７は、操作部５７ａと、円板状の取付部５７ｂを有し、この回転体５７は、取付部５７ｂが凹部５２ａ内に収容された状態で、操作部５７ａがカバー５３の孔５３ａから突出して取り付けられると共に、突部５２ｂをガイドにして回転可能となっていて、回転体５７の回転中心は、凹部５２ａの中心Ｃ３となっている。
【０００６】
金属板からなるリング状の摺動子５８は、その中心Ｃ４を通る線上に非対称に設けられた１個の第１の接触部５８ａと、一対の第２，第３の接触部５８ｂ、５８ｃを有する。
この摺動子５８は、中心Ｃ４が回転体５７の回転中心である中心Ｃ３に合わされた状態で、取付部５７ｂに取り付けられると共に、回転体５７が回転した時、摺動子５８の第１，第２，第３の接触部５８ａ、５８ｂ、５８ｃのそれぞれは、第１，第２，第３の接点部５４ａ、５５ａ、５６ａに摺接するようになって、従来の回転型電気部品が構成されている。（例えば、特許文献１参照）
【０００７】
しかし、従来の回転型電気部品は、摺動子５８の第１，第２，第３の接触部５８ａ、５８ｂ、５８ｃが中心Ｃ４を通る線上に非対称に設けられると共に、摺動子５８の中心Ｃ４が回転体５７の回転中心Ｃ３に合わされた状態で、取付部５７ｂに取り付けられるため、回転体５７への摺動子５８の取付方向性が生じて、摺動子５８の取付作業が面倒になるばかりか、間違った摺動子５８の取付が生じる。
【０００８】
【特許文献１】特開２００３−３３１６８７号公報
【発明の開示】
【発明が解決しようとする課題】
【０００９】
従来の回転型電気部品は、摺動子５８の第１，第２，第３の接触部５８ａ、５８ｂ、５８ｃが中心Ｃ４を通る線上に非対称に設けられると共に、摺動子５８の中心Ｃ４が回転体５７の回転中心Ｃ３に合わされた状態で、取付部５７ｂに取り付けられるため、回転体５７への摺動子５８の取付方向性が生じて、摺動子５８の取付作業が面倒になるばかりか、間違った摺動子５８の取付が生じるという問題がある。
【００１０】
そこで、本発明は摺動子の取付に方向性を無くして、取付作業が簡単で、摺動子の間違った取付の生じない回転型電子部品を提供することを目的とする。
【課題を解決するための手段】
【００１１】
上記課題を解決するための第１の解決手段として、回転体を回転可能に取り付けたハウジングと、このハウジングに取り付けられた第１，第２の導電体と、前記回転体に取り付けられ、前記第１，第２の導電体に摺接する金属板からなる摺動子とを備え、前記第１，第２の導電体のそれぞれは、前記回転体の回転中心から異なる半径を有した円周上に配置され、前記摺動子は、その中心を通る線上の対称位置に配置された少なくとも一対の第１，第２の接触部を有すると共に、摺動子は、前記摺動子の前記中心が前記回転中心からずれた位置で、前記回転体に取り付けられ、前記回転体の回転によって、前記第１の接触部が前記第１の導電体に摺接すると共に、前記第２の接触部が前記第２の導電体に摺接するようにした構成とした。
【００１２】
また、第２の解決手段として、前記摺動子はリング状に形成されると共に、前記第１，第２の接触部が前記リング状の一部に形成された構成とした。
また、第３の解決手段として、前記摺動子は、前記第１，第２の接触部の間において、前記回転体に取り付けられる一対の取付部が設けられた構成とした。
また、第４の解決手段として、前記取付部は、前記摺動子の前記中心を通る線上に配置された構成とした。
【発明の効果】
【００１３】
本発明の回転型電気部品は、回転体を回転可能に取り付けたハウジングと、このハウジングに取り付けられた第１，第２の導電体と、回転体に取り付けられ、第１，第２の導電体に摺接する金属板からなる摺動子とを備え、第１，第２の導電体のそれぞれは、回転体の回転中心から異なる半径を有した円周上に配置され、摺動子は、その中心を通る線上の対称位置に配置された少なくとも一対の第１，第２の接触部を有すると共に、摺動子は、摺動子の中心が回転中心からずれた位置で、回転体に取り付けられ、回転体の回転によって、第１の接触部が第１の導電体に摺接すると共に、第２の接触部が第２の導電体に摺接するようにした構成とした。
即ち、中心を通る線上の対称位置に配置された一対の第１，第２の接触部を有する摺動子の中心が回転体の回転中心からずれた位置で回転体に取り付けられて、第１の接触部が第１の導電体に摺接すると共に、第２の接触部が第２の導電体に摺接するようにしたため、第１の接触部と第２の接触部の取付状態が逆方向になっても、それぞれが第１，第２の導電体に摺接するようになり、従って、摺動子の取付方向に規制（取付方向性）が無くなって、摺動子の取付作業が簡単で、摺動子の間違った取付の無いものが得られる。
【００１４】
また、摺動子はリング状に形成されると共に、第１，第２の接触部がリング状の一部に形成されたため、接触圧の大きな摺動子が得られる。
【００１５】
また、摺動子は、第１，第２の接触部の間において、回転体に取り付けられる一対の取付部が設けられたため、回転体への摺動子の取付強度の大きなものが得られる。
【００１６】
また、取付部は、摺動子の中心を通る線上に配置されたため、摺動子の中心位置（心出し）が正確にできて、摺動子の取付位置の正確なものが得られる。
【発明を実施するための最良の形態】
【００１７】
本発明の回転型電気部品の図面を説明すると、図１は本発明の回転型電気部品に係る要部断面図、図２は本発明の回転型電気部品に係る絶縁基体の平面図、図３は本発明の回転型電気部品に係り、回転体に摺動子を取り付けた状態を示す正面図、図４は本発明の回転型電気部品に係り、回転体に摺動子を取り付けた状態を示す下面図、図５は本発明の回転型電気部品に係る摺動子の平面図である。
【００１８】
次に、本発明の回転型電気部品の構成を図１〜図５に基づいて説明すると、箱形をなすハウジング１は、合成樹脂の成型品からなる絶縁基体２と、この絶縁基体２に組み合わされ、金属板や絶縁樹脂材で構成された蓋体３とで形成されている。
【００１９】
この絶縁基体２は、底板である絶縁体２ａと、絶縁体２ａの周囲から上方に延びる環状の側壁２ｂと、絶縁体２ａと側壁２ｂによって囲まれた収納部２ｃと、収納部２ｃ内の絶縁体２ａの中央部の位置から上方の突出する支軸部２ｄと、絶縁体２ａの外面から下方に突出する複数の突起２ｅを有する。
【００２０】
そして、中央部に孔３ａを有する蓋体３は、収納部１ｃの上部を塞いだ状態で、側壁２ｂの上部にカシメ付けられて絶縁基体２に一体化されて、ハウジング１が形成されている。
【００２１】
金属板からなる第１の導電体４は、リング状の第１の接点部４ａと、この第１の接点部４ａに繋がった端子部４ｂを有し、この第１の導電体４は、端子部４ｂが側壁２ｂ外に突出した状態で、絶縁基体２に埋設されて取り付けられると共に、リング状の第１の接点部４ａは、支軸部２ｄの中心（回転中心）Ｃ１から同一半径（同一円周）上に配置されている。
【００２２】
金属板からなる第２の導電体５は、円弧状の第２の接点部５ａと、この第２の接点部５ａに繋がった端子部５ｂを有し、この第２の導電体５は、端子部５ｂが側壁２ｂ外に突出した状態で、絶縁基体２に埋設されて取り付けられると共に、円弧状の第２の接点部５ａは、支軸部２ｄの中心（回転中心）Ｃ１から第１の接点部４の位置と異なる半径（円周）上に配置されている。
即ち、第１，第２の導電体４，５の第１，第２の接点部４ａ、５ａのそれぞれは、支軸部２ｄの中心（回転中心）Ｃ１から異なる半径上に配置されている。
【００２３】
ナイロン系等の合成樹脂の成型品からなる回転体６は、操作部６ａと、円板状の鍔部６ｂと、この鍔部６ｂの下面中央部に設けられた突部６ｃと、この突部６ｃの中心部から上方に向けて設けられた凹部６ｄと、突部６ｃを挟むように鍔部６ｂの下面に設けられた一対の突起６ｅを有する。
【００２４】
この回転体６は、凹部６ｄ内に支軸部２ｄが挿入され、操作部６ａが蓋体３の孔３ａから突出した状態で、ハウジング１に回転可能に取り付けられ、そして、回転体６は、支軸部２ｄに軸支された状態で回転するようになるため、図４に示すように、凹部６ｄの中心部が回転中心Ｃ１となると共に、一対の突起６ｅを結ぶ線Ｓ１は、回転中心Ｃ１からずれた位置となっている。
【００２５】
金属板からなるリング状の摺動子７は、その中心Ｃ２を通る線Ｓ１上に設けられた孔７ａを有する一対の取付部７ｂと、中心Ｃ２を通る線Ｓ２上の対称位置に配置された一対の第１，第２の接触部７ｃ、７ｄを有している。
即ち、図４，図５に示すように、第１，第２の接触部７ｃ、７ｄは、中心Ｃ２から同じ半径の円周上で、中心Ｃ２を挟んで対向した位置（線Ｓ２上）に設けられると共に、一対の取付部７ｂは、中心Ｃ２を通る線Ｓ１上に設けられて、摺動子７は、線Ｓ２に対して左右対称となっている。
【００２６】
この摺動子７は、回転体６の突起６ｅが孔７ａに挿通され、突起６ｅの先端部をカシメて、回転体６の鍔部６ｂに取り付けられる。
この時、図４に示すように、回転中心Ｃ１からずれた位置にある一対の突起６ｅによって、摺動子７が回転体６に取り付けられると共に、摺動子７の中心Ｃ２は、回転体６の回転中心Ｃ１からずれた状態になり、この状態で、摺動子７が回転体６に取り付けられる。
【００２７】
そして、回転体６が回転された時、摺動子７も同時に回転されて、第１の接触部７ｃは第１の導電体４の第１の接点部４ａに摺接すると共に、第２の接触部７ｄは第２の導電体５の第２の接点部５ａに摺接して、ロータリースイッチからなる本発明の回転型電気部品が形成されている。
【００２８】
また、このような構成を有する回転型電気部品は、図５に示す摺動子７おいて、左右が反対となった場合、即ち、第１の接触部７ｃが右側に位置し、且つ、第２の接触部７ｄが左側に位置する状態で、摺動子７が回転体６に取り付けられた場合であっても、摺動子７は左右対称の位置に第１，第２の接触部７ｃ、７ｄが設けられているため、第２の接触部７ｄが第１の導電体４に、また、第１の接触部７ｄが第２の導電体５に摺接することができて、摺動子７の取付方向に規制が無く、取付方向性を無くすることができる。
【００２９】
なお、上記実施例は、ロータリスイッチからなる回転型電気部品で説明したが、エンコーダや可変抵抗器等の回転型電気部品に適用できること勿論である。
また、摺動子７は、リング状のもので説明したが、摺動子７が平板状をなすと共に、第１，第２の接触部７ｃ、７ｄが切り起こされた舌片で構成されたものでも良い。
【図面の簡単な説明】
【００３０】
【図１】本発明の回転型電気部品に係る要部断面図。
【図２】本発明の回転型電気部品に係る絶縁基体の平面図。
【図３】本発明の回転型電気部品に係り、回転体に摺動子を取り付けた状態を示す正面図。
【図４】本発明の回転型電気部品に係り、回転体に摺動子を取り付けた状態を示す下面図。
【図５】本発明の回転型電気部品に係る摺動子の平面図。
【図６】従来の回転型電気部品に係る分解斜視図。
【図７】従来の回転型電気部品に係る絶縁基体の平面図。
【符号の説明】
【００３１】
１：ハウジング
２：絶縁基体
２ａ：絶縁体
２ｂ：側壁
２ｃ：収納部
２ｄ：支軸部
２ｅ：突起
３：蓋体
３ａ：孔
４：第１の導電体
４ａ：第１の接点部
４ｂ：端子部
５：第２の導電体
５ａ：第２の接点部
５ｂ：端子部
６：回転体
６ａ：操作部
６ｂ：鍔部
６ｃ：突部
６ｄ：凹部
６ｅ：突起
７：摺動子
７ａ：孔
７ｂ：取付部
７ｃ：第１の接触部
７ｄ：第２の接触部
Ｃ１：回転中心
Ｃ２：摺動子の中心
Ｓ１，Ｓ２：線
【図１】
2005339821.tif 000003
【図２】
2005339821.tif 000004
【図３】
2005339821.tif 000005
【図４】
2005339821.tif 000006
【図５】
2005339821.tif 000007
【図６】
2005339821.tif 000008
【図７】
2005339821.tif 000009